(57)【要約】【課題】録画処理時に使用する記録容量を削減する録画装置を提供する。【解決手段】録画装置１に備えられた制御部１３は、ＥＰＧ復調部１５により取得したＥＰＧ情報から録画番組の放送チャンネル及び放送開始時刻等を取得する。制御部１３は、ＣＬＯＣＫ２３から取得した時刻が放送開始時刻と一致した場合に受信部１０に録画番組の放送チャンネルを設定し、記憶部１４を制御して録画する。録画中に使用者が録画番組を視聴している状態で、制御部１３は、視聴番組と録画番組とが一致すると判定した場合、記憶部１４を制御して録画を停止させる。制御部１３は、録画番組の放送時間中に録画を停止している場合に視聴番組と録画番組とが一致しないと判定した場合、記憶部１４を制御して録画を再開する。制御部１３は、ＣＬＯＣＫ２３から取得した時刻が放送終了時刻を過ぎた場合に記憶部１４を制御して録画を終了させる。【選択図】図１
2008228085.tif 000002
【特許請求の範囲】
【請求項１】
視聴番組及び録画番組を受信する受信手段と、前記録画番組に係る録画予約情報を受付ける受付手段と、前記録画予約情報に従って録画番組を録画する録画手段とを備えた録画装置において、
前記視聴番組と前記録画番組とが一致するか否かを判定する判定手段を備え、
前記録画手段が録画している状態で、前記判定手段が一致すると判定した場合、前記録画手段は録画を停止するよう構成してあること
を特徴とする録画装置。
【請求項２】
前記録画手段は、前記録画番組の放送時間中に録画を停止した状態で、前記判定手段が一致しないと判定した場合、録画を再開するように構成してあることを特徴とする請求項１に記載の録画装置。
【請求項３】
ＥＰＧ情報を受信するＥＰＧ受信手段を備え、
前記受付手段は、ＥＰＧ情報に基づいて録画予約情報を受付けるように構成してあること
を特徴とする請求項１又は２に記載の録画装置。
【請求項４】
前記録画手段は、前記ＥＰＧ情報から前記録画予約情報に含まれる録画番組を検索して録画するように構成してあることを特徴とする請求項１乃至３のいずれか１つに記載の録画装置。
【請求項５】
前記判定手段は、前記ＥＰＧ情報に基づいて視聴番組を識別するよう構成してあることを特徴とする請求項１乃至４のいずれか１つに記載の録画装置。
【請求項６】
前記録画手段が録画している状態で前記判定手段が一致すると判定した場合に、前記録画手段は録画を停止するか否かの選択を受付けるように構成してあることを特徴とする請求項１乃至５のいずれか１つに記載の録画装置。
【請求項７】
前記視聴番組の映像を表示する映像表示部を備えることを特徴とする請求項１乃至６のいずれか１つに記載の録画装置。
【発明の詳細な説明】
【技術分野】
【０００１】
本発明は、視聴中の放送番組に応じて録画の開始及び停止を制御する録画装置に関する。
【背景技術】
【０００２】
従来から、テレビジョン放送による放送番組を受信して記憶媒体に録画し、必要に応じて再生する録画装置として、ＨＤＤ（Ｈａｒｄ  Ｄｉｓｋ  Ｄｒｉｖｅ）に代表される磁気ディスク、ＤＶＤ−ＲＷ（Ｄｉｇｉｔａｌ  Ｖｅｒｓａｔｉｌｅ  Ｄｉｓｋ−ＲｅＷｒｉｔａｂｌｅ）等の繰り返し書き込みが可能な光ディスク等を記憶媒体に用いる録画装置がある。このような録画装置は、録画予約機能を有している。
【０００３】
具体的に録画装置は、複数の録画番組の情報を含む録画予約情報を受付けて記憶し、それぞれの録画番組の放送開始時刻に設定された放送チャンネルを選局し、録画番組を受信して記憶媒体への録画を開始し、同録画番組の放送終了時刻に録画を終了する。一方、各放送局から発信される番組信号と共に、各放送局が放送する放送番組の放送チャンネル、放送開始日時、放送終了日時及び放送内容等を示す番組情報を配信するＥＰＧ（Ｅｌｅｃｔｒｉｃ  Ｐｒｏｇｒａｍ  Ｇｕｉｄｅ）情報システムが提供されている。
【０００４】
ＥＰＧ情報システムは、各放送番組の番組情報だけでなく、例えば、スポーツ中継番組の延長及び臨時番組の放送等による各放送番組の放送日時の変更を示す変更情報も配信している。ＥＰＧ情報を受信できる録画装置では、変更情報を受信した場合、受信した変更情報が示す変更内容に基づいて、録画予約されている録画番組の放送日時を変更して録画を行なうように構成されている。このような録画装置を用いることにより、放送日時が変更された場合であっても録画予約した録画番組を確実に録画することができる。
【０００５】
また、録画番組を録画中に、使用者が視聴するための視聴番組を同時に受信することが可能な録画装置がある。このような録画装置を用いて録画番組を録画中に、使用者は視聴番組を録画中の録画番組に変更して視聴することがある。この場合、使用者は、記憶媒体の空き容量の無駄な使用を削減するために、録画番組の録画を手動で停止する必要があった。また、使用者は、録画番組の視聴を中断した場合に、録画を手動で再開する必要があった。
【０００６】
使用者が視聴中に録画番組の録画の停止及び再開を行わない場合、使用者は、録画終了後に記憶媒体に録画された複数の録画番組の中から既に視聴済みの録画番組を手動で削除する必要があった。これらの録画中の録画の停止及び再開並びに録画終了後の視聴済み録画番組の削除にかかる手間を省くために、録画装置が録画中の視聴状態を記録し、録画終了後に記憶媒体に録画された録画番組の中から視聴済み録画番組を自動的に削除する技術が特許文献１に記載されている。
【特許文献１】特開２００１−２８３５０１号公報
【発明の開示】
【発明が解決しようとする課題】
【０００７】
しかるに、特許文献１に記載された技術では、録画予約情報に従って録画番組を録画した後に録画中に視聴していた録画番組の削除を行うため、録画する必要のない視聴中の録画番組を含んで同録画番組の開始から終了までを録画する必要があり、記憶媒体の空き容量を無駄に使用するという問題がある。特に、記憶媒体の空き容量が少ない場合、録画する必要のない録画番組に対しても録画を行うことにより、さらに空き容量が減少し、録画予約情報に含まれる他の録画番組を連続して録画することができない虞がある。
【０００８】
また、視聴中の録画番組の録画を停止した状態で録画番組の放送時間中に視聴を中止した場合に、手動で録画を再開する手間が生じる問題があると共に、録画の再開を使用者が失念する虞がある。
【０００９】
また、放送番組の放送日時が変更された場合に、録画番組を正常に録画できない虞があるばかりでなく、録画した録画番組を視聴していないにも関わらず視聴済みと誤って判定し削除する虞がある。
【００１０】
また、録画予約情報に基づいた録画番組の録画中に使用者が同録画番組を視聴開始した場合、使用者が録画を停止するか否かを選択することができないという問題がある。
【００１１】
さらに、映像表示部等を備え、記憶媒体の記憶容量を無駄なく使用する録画機能と共に視聴番組の視聴を可能とする録画装置が望まれていた。
【００１２】
本発明は、斯かる事情に鑑みてなされたものであって、その目的とするところは、録画中の録画番組と視聴中の視聴番組とが一致するか否かを判定する判定手段を備えることにより、録画番組を録画中に同録画番組の視聴を開始した場合に録画の停止を自動的に行い、記憶媒体の空き容量の無駄な使用を削減することが可能となる録画装置を提供することにある。
【００１３】
本発明の他の目的は、録画を停止した状態で録画番組の放送時間中に録画番組と視聴番組とが一致しないと判定した場合、録画を再開するよう構成された録画手段を備えることにより、自動的に再開を行い、使用者が再開を行う手間を省くと共に再開を使用者が失念することを防ぐ録画装置を提供することにある。
【００１４】
本発明の他の目的は、ＥＰＧ情報に基づいて録画中の放送番組と視聴中の視聴番組とを識別して一致するか否かを判定する判定手段を備えることにより、放送番組の放送日時が変更された場合にも、判定手段が正常に判定を行うことが可能となる録画装置を提供することにある。
【００１５】
本発明の他の目的は、使用者が録画中の録画番組を視聴していた場合に、録画を停止するか否かの選択を受付けるように録画手段を構成することにより、使用者による選択が可能となる録画装置を提供することにある。
【００１６】
本発明の他の目的は、視聴番組の映像を表示する映像表示部を備えることにより、他の映像表示機器を用いることなく単独で視聴番組を視聴することが可能となる録画装置を提供することにある。
【課題を解決するための手段】
【００１７】
本発明に係る録画装置は、視聴番組及び録画番組を受信する受信手段と、前記録画番組に係る録画予約情報を受付ける受付手段と、前記録画予約情報に従って録画番組を録画する録画手段とを備えた録画装置において、前記視聴番組と前記録画番組とが一致するか否かを判定する判定手段を備え、前記録画手段が録画している状態で、前記判定手段が一致すると判定した場合、前記録画手段は録画を停止するよう構成してあることを特徴とする。
【００１８】
本発明にあっては、視聴番組と録画番組とが一致するか否かを判定手段が判定し、録画手段が録画している最中で判定手段が一致すると判定した場合、録画手段は、録画番組の録画を停止する。
【００１９】
本発明に係る録画装置は、前記録画手段は、前記録画番組の放送時間中に録画を停止した状態で、前記判定手段が一致しないと判定した場合、録画を再開するように構成してあることを特徴とする。
【００２０】
本発明にあっては、録画手段は、録画を停止した状態で録画番組の放送時間中に判定手段が視聴番組と録画番組とが一致しないと判定した場合、停止している録画番組の録画を再開する。
【００２１】
本発明に係る録画装置は、ＥＰＧ情報を受信するＥＰＧ受信手段を備え、前記受付手段は、ＥＰＧ情報に基づいて録画予約情報を受付けるように構成してあることを特徴とする。
【００２２】
本発明にあっては、ＥＰＧ受信手段によりＥＰＧ情報を受信し、受付手段は、受信したＥＰＧ情報に基づいて録画予約情報の入力を受付ける。
【００２３】
本発明に係る録画装置は、前記録画手段は、前記ＥＰＧ情報から前記録画予約情報に含まれる録画番組を検索して録画するように構成してあることを特徴とする。
【００２４】
本発明にあっては、録画手段は、ＥＰＧ受信手段が受信したＥＰＧ情報から録画予約情報に含まれる録画番組を検索し、ＥＰＧ情報に含まれる録画番組の放送チャンネル及び放送日時に基づいて録画処理を行う。
【００２５】
本発明に係る録画装置は、前記判定手段は、前記ＥＰＧ情報に基づいて視聴番組を識別するよう構成してあることを特徴とする。
【００２６】
本発明にあっては、判定手段は、ＥＰＧ受信手段が受信したＥＰＧ情報に基づいて視聴中の視聴番組を識別し、録画中の録画番組と一致するか否かを判定する。
【００２７】
本発明に係る録画装置は、前記録画手段が録画している状態で前記判定手段が一致すると判定した場合に、前記録画手段は録画を停止するか否かの選択を受付けるように構成してあることを特徴とする。
【００２８】
本発明にあっては、録画手段が録画している最中に、判定手段が録画番組と視聴番組とが一致すると判定した場合に、録画手段は、録画を停止するか否かの選択を受付けて、停止が選択された場合に録画を停止する。
【００２９】
本発明に係る録画装置は、前記視聴番組の映像を表示する映像表示部を備えることを特徴とする。
【００３０】
本発明にあっては、録画装置は、録画予約情報に基づいた録画番組の録画を行うと共に、視聴番組を受信して映像表示部に視聴番組の映像を表示する。
【発明の効果】
【００３１】
本発明にあっては、録画装置は、視聴番組と録画番組とが一致するか否かを判定する判定手段を備え、判定手段が一致すると判定した場合に録画手段は録画を停止するように構成することにより、録画中の録画番組を視聴している場合に録画を中断し、記憶媒体の空き容量の無駄な使用を削減することが可能となる。
【００３２】
本発明にあっては、録画を停止した状態で、録画番組の放送時間中に録画番組の視聴を中止した場合に録画を再開するように録画手段を構成することにより、自動的に録画を再開して、使用者が再開の操作を行う手間を削減すると共に使用者が再開を失念することを防ぐことが可能となる。
【００３３】
本発明にあっては、ＥＰＧ受信手段により受信したＥＰＧ情報に基づいて録画予約情報を受け付ける受付手段を備えることにより、放送日時が変更された場合でも、変更後の番組表に従って録画予約情報を受付け、正常に録画予約することが可能となる。
【００３４】
本発明にあっては、ＥＰＧ情報から録画予約情報に含まれる録画番組を検索して録画するように構成した録画手段を備えることにより、放送日時が変更された場合にも、変更後の番組表に従って正常に録画することが可能となる。
【００３５】
本発明にあっては、ＥＰＧ情報に基づいて視聴中の視聴番組と録画中の録画番組を識別して一致するか否かを判定する判定手段を備えることにより、録画番組及び視聴番組の放送日時が変更された場合でも判定手段が正常に判定し、視聴中の録画番組のみを録画しないように録画を停止することが可能となる。
【００３６】
本発明にあっては、判定手段が録画中の録画番組と視聴中の視聴番組とが一致すると判定した場合に、録画手段は、録画を停止するか否かの選択を受付けるように構成することにより、使用者が録画番組の視聴を続けるか否かを判断して録画の停止を指示することが可能となる。
【００３７】
本発明にあっては、視聴番組の映像を表示する映像表示部を備えることにより、単独で視聴番組の視聴が可能となる等、本発明は優れた効果を奏する。
【発明を実施するための最良の形態】
【００３８】
実施の形態１
以下、本発明をその実施の形態を示す図面を参照して具体的に説明する。図１は、実施の形態１に係る録画装置の構成を示すブロック図である。録画装置１は、録画予約機能、録画番組の受信機能、視聴番組を受像する機能、及び録画した録画番組の再生機能を備えており、遠隔操作装置３との間で赤外線を利用したＩｒＤＡ（Ｉｎｆｒａｒｅｄ  Ｄａｔａ  Ａｓｓｏｃｉａｔｉｏｎ）規格に従う無線通信が可能に構成され、遠隔操作装置３によって遠隔から操作することができる。
【００３９】
尚、録画装置１と遠隔操作装置３とを、赤外線を利用した無線通信だけでなく、例えば、ＩＥＥＥ８０２．１１ｂ規格に準拠した無線ＬＡＮ、及びＢｌｕｅｔｏｏｔｈ規格に従う無線通信等を介して接続してもよい。録画装置１は、受信部１０、ＯＦＤＭ復調部１１、分離部１２、制御部１３、記憶部１４、ＥＰＧ復調部１５、映像音声復調部１６、ＲＯＭ１７、ＲＡＭ１８、操作部１９、操作受信部２０、ＯＳＤ（Ｏｎ  Ｓｃｒｅｅｎ  Ｄｉｓｐｌａｙ）部２１、映像表示部２２及びＣＬＯＣＫ２３を備えている。
【００４０】
制御部１３は、ＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｏｒ  Ｕｎｉｔ）等により構成されており、バス１３１を介して受信部１０、記憶部１４、ＥＰＧ復調部１５、ＲＯＭ１７、ＲＡＭ１８、操作部１９、操作受信部２０、ＯＳＤ部２１、映像表示部２２及びＣＬＯＣＫ２３に接続されている。制御部１３は、本発明における判定手段として機能する。また、制御部１３は、記憶部１４を制御することにより記憶部１４と共に本発明における録画手段としても機能する。
【００４１】
ＲＯＭ１７は、録画装置１を動作させるために必要な種々の制御プログラム等を予め記憶している。制御部１３は、バス１３１を介してＣＬＯＣＫ２３が示す時刻を取得すると共に、接続されたハードウェア各部を制御する。また、制御部１３は、ＲＯＭ１７に格納されている制御プログラムを適宜ＲＡＭ１８に読み出して実行する。ＲＡＭ１８は、ＳＲＡＭ又はフラッシュメモリ等で構成されており、録画予約情報等の記憶、ＥＰＧ情報の記憶及び制御部１３による制御プログラムの実行時に発生するフラグ等のデータの一時的な記憶を行う。
【００４２】
受信部１０は、デジタル放送番組の受信用チューナであり、録画番組及び視聴番組の同時受信を可能とするために図示しない２系統の受信回路で構成され、図示しない放送中継基地の方向に向けて配置されたアンテナ２と接続されている。受信部１０は、アンテナ２が受信した放送波から、制御部１３の指示により録画番組に対応付けられた帯域に存在するＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を抽出してレベル調整後、ＯＦＤＭ復調部１１へ与える。
【００４３】
ＯＦＤＭ復調部１１は、デジタル変調されたＯＦＤＭ信号の復調を行い、誤り訂正処理等を行って、地上デジタル放送で情報の伝達に用いられているＭＰＥＧ２方式で符号化されたＴＳ（Ｔｒａｎｓｐｏｒｔ  Ｓｔｒｅａｍ）信号を得て、分離部１２及び記憶部１４へ与える。ＴＳ信号は、放送番組に係る映像及び音声データが、圧縮・多重化されたストリームを含んでおり、記憶部１４は、録画番組から得たＴＳ信号を記憶することで、録画番組を録画する。記憶部１４のＴＳ信号の記憶、記憶されたＴＳ信号の読出し及び削除は、制御部１３によりバス１３１を介して制御される。
【００４４】
尚、記憶部１４は、読書きのアクセス速度の高速化及び記憶情報の効率的な管理が図れるハードディスクドライブ（ＨＤＤ）、読書き可能な光ディスク、読書き可能な光磁気ディスク、及び読書き可能な磁気ディスク等のディスクを利用したディスク記憶媒体、並びに半導体を利用した記憶媒体等が使用されることが好ましいが、磁気テープ等のテープ記憶媒体を使用しても構わない。ＴＳ信号は、各放送局の放送番組のジャンル、放送チャンネル、放送開始日時、放送終了日時及びタイトル等を示す番組情報、並びに各放送番組の放送日時の変更を示す変更情報から構成されたＥＰＧ情報を示すストリームを定期的に含む。
【００４５】
分離部１２は、与えられたＴＳ信号からＥＰＧ情報、並びに映像及び音声データに係るストリームを分離し、ＥＰＧ情報をＥＰＧ復調部１５へ与えると共に、視聴番組から得たＴＳ信号の場合は、映像及び音声データに係るストリームを映像音声復調部１６に与える。ＥＰＧ復調部１５は、与えられたＥＰＧ情報に係るストリームを復調し、復調されたＥＰＧ情報をバス１３１に出力する。制御部１３は、バス１３１を介してＥＰＧ情報を得る。分離部１２及びＥＰＧ復調部１５は、本発明におけるＥＰＧ受信手段として機能する。
【００４６】
録画装置１は、録画中又は視聴中に関わらず、受信部１０で放送波を常時受信してＥＰＧ情報を取得する。制御部１３は、ＲＡＭ１８に記憶されているＥＰＧ情報を、放送局等から定期的に送信されるＥＰＧ情報に書き換えることにより、ＲＡＭ１８に最新のＥＰＧ情報を記憶する。操作部１９は、映像表示部２２のオン／オフ状態を切り替えるための電源キー及び録画予約情報を入力するための入力キーを備えており、ユーザにより各キーが操作された場合、操作されたキーに対応した識別信号をバス１３１を介して制御部１３へ送出する。
【００４７】
また、操作受信部２０は、遠隔操作装置３から受信した遠隔操作装置３の操作された各キーに対応する識別信号をバス１３１を介して制御部１３へ送出する。制御部１３は、操作部１９又は操作受信部２０からバス１３１を介して取得する識別信号に応じた処理を実行する。制御部１３は、操作部１９又は操作受信部２０からの識別信号に応じて映像表示部２２のオン／オフ状態を制御する。映像音声復調部１６は、分離部１２により視聴番組のＴＳ信号から分離され、与えられた映像及び音声データに係るストリームを復調して得た映像及び音声データをＯＳＤ部２１を介して液晶ディスプレイ等で構成された映像表示部２２に与える。
【００４８】
映像表示部２２のオン／オフ状態は、映像表示部２２へ供給する電源のオン／オフを切り替えることによって、制御可能に構成されている。映像表示部２２は、映像表示部２２がオン状態の場合、与えられた映像データを表示すると共に内蔵する図示しないアンプ及びスピーカにより音声データに基づいた音声を出力し、視聴番組を表示する。また、ＯＳＤ部２１は、バス１３１を介して制御部１３から与えられた選択画面又はＥＰＧ情報に基づく番組表の画像データ等を、映像音声復調部１６から与えられた映像データに重畳して映像表示部２２に出力して表示するように構成されている。
【００４９】
ＯＦＤＭ復調部１１及び分離部１２は、受信部１０と同様に、録画番組と視聴番組とを同時に処理可能とするために、それぞれ２系統設けられている。また、制御部１３は、操作部１９又は遠隔操作装置３により録画した録画番組の再生操作を受付けた場合、記憶部１４を制御して記憶された録画番組のＴＳ信号を読出し、分離部１２に与える。
【００５０】
分離部１２は、読み出されたＴＳ信号から映像及び音声データに係るストリームを分離して映像音声復調部１６に与える。制御部１３は、映像表示部２２をオン状態に制御する。映像音声復調部１６は、与えられた映像及び音声データに係るストリームを復調して得た映像及び音声データをＯＳＤ部２１を介して、映像表示部２２に出力し、録画番組が再生表示される。
【００５１】
図２は、予約録画処理の手順を示すフローチャートである。制御部１３は、操作部１９又は遠隔操作装置３の予約キーの押下を検出した場合に、予約録画処理を実行する。制御部１３は、ＲＡＭ１８に記憶されている最新のＥＰＧ情報から番組表を作成し、番組表に基づいた予約画面の画像データをＯＳＤ部２１を介して映像表示部２２に出力しＯＳＤ表示させる（ステップＳ１）。
【００５２】
図３は、予約画面の例を示す模式図である。予約画面には、番組表が表示されており、「終了」及び「予約モード」と表示された選択項目を備える。番組表に表示された複数の番組のうち、１つの番組が反転表示されており、使用者による操作部１９のカーソルキーの操作により、反転表示された番組が順次変更される。図３に示す例では、番組「スペシャルＡＡ」が反転表示されている。録画予約する番組名が反転表示された状態で操作部１９の決定キーを押下することにより、複数の番組を反転表示して選択することが可能である。
【００５３】
また、操作部１９のカーソルキーを操作して選択項目「終了」又は「予約モード」を反転表示させ、操作部１９の決定キーを押下することにより、反転表示させた選択項目を選択するように構成されている。制御部１３は、「予約モード」が選択されたか否かを判定する（ステップＳ２）。制御部１３は、「予約モード」が選択されたと判定した場合（ステップＳ２でＹＥＳ）、ＲＯＭ１７から予約モード設定画面の画面データを読出し、ＯＳＤ部２１を介して映像表示部２２に出力しＯＳＤ表示させる（ステップＳ１２）。
【００５４】
図４は、予約モード設定画面の例を示す模式図である。予約モードとして、録画中の放送番組を視聴中の場合に、録画中の放送番組を視聴しているか否かに関わらず録画を行う「通常モード」、選択画面を表示して使用者に録画の中断等を行うか否かを選択させる「手動モード」、及び自動的に録画を中断する「節約モード」の３種類のモードがある。予約モード設定画面には、３種類の予約モードのうち１つの選択を受付けるために、それぞれのモードに対応した「通常モード」、「手動モード」及び「節約モード」と表示された３種類の選択項目が配置されている。
【００５５】
選択項目のうち１つの選択項目が反転表示され、操作部１９のカーソルキーを操作することにより順次反転表示された選択項目が変更され、操作部１９の決定キーを押下することにより、３種類の予約モードのうちの１つが選択される。制御部１３は、操作部１９の決定キーの押下を検出したか否かを判定する（ステップＳ１３）。制御部１３は、操作部１９の決定キーの押下を検出していないと判定した場合（ステップＳ１３でＮＯ）、検出を待ち受ける。
【００５６】
制御部１３は、操作部１９の決定キーの押下を検出した場合（ステップＳ１３でＹＥＳ）、反転表示されている選択項目に対応づけられた予約モードをＲＡＭ１８に記憶し設定する（ステップＳ１４）。制御部１３は、予約画面表示を行うステップＳ１に処理を戻す。制御部１３は、選択項目「予約モード」が選択されたか否かを判定するステップＳ２において、選択されていないと判定した場合（ステップＳ２でＮＯ）、選択項目「終了」が選択されたか否かを判定する（ステップＳ３）。
【００５７】
制御部１３は、選択項目「終了」が選択されていないと判定した場合（ステップＳ３でＮＯ）、選択項目「予約モード」が選択されたか否かを判定するステップＳ２に処理を戻す。制御部１３は、選択項目「終了」が選択されたと判定した場合（ステップＳ３でＹＥＳ）、選択されている番組を録画予約情報としてＲＡＭ１８に記憶し録画予約する（ステップＳ４）。制御部１３は、ＣＬＯＣＫ２３が示す時刻を取得すると共に、ＲＡＭ１８に記憶されている録画予約情報及びＥＰＧ情報を読出し、取得した時刻が録画予約情報に含まれる録画番組の放送開始時刻と一致したか否かを判定する（ステップＳ５）。
【００５８】
制御部１３は、取得した時刻が放送開始時刻と一致していないと判定した場合（ステップＳ５でＮＯ）は、取得した時刻が放送開始時刻と一致するまで待機する。制御部１３は、取得した時刻が放送開始時刻と一致したと判定した場合（ステップＳ５でＹＥＳ）、ＲＡＭ１８に記憶されているＥＰＧ情報を読み出して録画番組の放送チャンネルを取得し、受信部１０の受信チャンネルに設定して録画番組を受信させ、記憶部１４を制御して録画番組の録画を開始する（ステップＳ６）。
【００５９】
制御部１３は、ＲＡＭ１８に記憶されている予約モードを読み出して、何れの予約モードが設定されているかを判定する（ステップＳ７）。制御部１３は、「通常モード」が設定されていると判定した場合（ステップＳ７で”通常モード”）、制御部１３は、ＣＬＯＣＫ２３が示す時刻を取得し、取得した時刻がＲＡＭ１８に記憶されているＥＰＧ情報に含まれる録画番組の放送終了時刻を過ぎたか否かを判定する（ステップＳ１０）。
【００６０】
制御部１３は、取得した時刻が放送終了時刻を過ぎていないと判定した場合（ステップＳ１０でＮＯ）、放送終了時刻を過ぎるまで待機する。制御部１３は、放送終了時刻を過ぎたと判定した場合（ステップＳ１０でＹＥＳ）、記憶部１４を制御して録画を停止し（ステップＳ１１）、予約録画処理を終了する。制御部１３は、何れの予約モードが設定されているか否かを判定するステップＳ７において、「手動モード」が設定されていると判定した場合（ステップＳ７で”手動モード”）、手動モード処理を実行する（ステップＳ９）。
【００６１】
制御部１３は、記憶部１４を制御して録画を停止し（ステップＳ１１）、予約録画処理を終了する。制御部１３は、何れの予約モードが設定されているか否かを判定するステップＳ７において、「節約モード」が設定されていると判定した場合（ステップＳ７で”節約モード”）、節約モード処理を実行する（ステップＳ８）。制御部１３は、記憶部１４を制御して録画を停止し（ステップＳ１１）、予約録画処理を終了する。
【００６２】
図５は、手動モード処理の手順を示すフローチャートである。制御部１３は、映像表示部２２がオン状態であるか否かを判定する（ステップＳ２１）。制御部１３は、映像表示部２２がオン状態にあると判定した場合（ステップＳ２１でＹＥＳ）、受信部１０に設定されている受信チャンネル、ＲＡＭ１８に記憶されているＥＰＧ情報に含まれる番組表及びＣＬＯＣＫ２３が示す時刻から、現在受信している視聴番組及び録画番組を識別する（ステップＳ２２）。
【００６３】
制御部１３は、視聴番組及び録画番組が一致するか否かを判定する（ステップＳ２３）。制御部１３は、一致すると判定した場合（ステップＳ２３でＹＥＳ）、ＲＯＭ１７から動作選択画面の画像データを読み出してＯＳＤ部２１を介して映像表示部２２に出力しＯＳＤ表示する（ステップＳ２４）。
【００６４】
図６は、動作選択画面の例を示す模式図である。使用者に選択操作を促すメッセージ「現在、視聴中の番組は録画中です。希望の処理を選択してください。」が表示されている。動作選択画面は、「録画続行」、「録画中断」及び「録画停止」と、それぞれ表示された選択項目を備えており、いずれか１つの選択項目が反転表示されている。操作部１９のカーソルキーを操作することにより、反転表示する選択項目が変更され、操作部１９の決定キーの押下を検出することにより、反転表示された選択項目が設定される。
【００６５】
図６に示す例では、「録画中断」が反転表示されている。制御部１３は、操作部１９の決定キーの押下を検出したか否かを判定する（ステップＳ２５）。制御部１３は、検出していないと判定した場合（ステップＳ２５でＮＯ）、検出するまで待機する。制御部１３は、検出したと判定した場合（ステップＳ２５でＹＥＳ）、反転表示されている選択項目に対応付けられた動作をＲＡＭ１８に記憶して設定する（ステップＳ２６）。制御部１３は、何れの動作が選択されたかを判定する（ステップＳ２７）。
【００６６】
制御部１３は、「録画続行」が選択されたと判定した場合（ステップＳ２７で”続行”）、ＣＬＯＣＫ２３から取得した時刻が放送終了時刻を過ぎていたか否かを判定するステップＳ２９に処理を移す。制御部１３は、「録画中断」が選択されたと判定した場合（ステップＳ２７で”中断”）、記憶部１４を制御して録画を停止し（ステップＳ２８）、ＣＬＯＣＫ２３から取得した時刻が放送終了時刻を過ぎたか否かを判定するステップ２９に処理を移す。制御部１３は、「録画停止」が選択されたと判定した場合（ステップＳ２７で”停止”）、手動モード処理を終了する。
【００６７】
制御部１３は、ＣＬＯＣＫ２３から取得した時刻が放送終了時刻を過ぎたか否かを判定するステップＳ２９において、放送終了時刻を過ぎたと判定した場合（ステップＳ２９でＹＥＳ）、手動モード処理を終了する。制御部１３は、放送終了時刻を過ぎていないと判定した場合（ステップＳ２９でＮＯ）、映像表示部２２のオン状態を判定するステップＳ２１に処理を戻す。制御部１３は、映像表示部２２がオン状態であるか否かを判定するステップＳ２１において、オン状態にないと判定した場合（ステップＳ２１でＮＯ）、並びに視聴番組及び録画番組が一致するか否かを判定するステップＳ２３において、一致しないと判定した場合（ステップＳ２３でＮＯ）、記憶部１４が録画を停止しているか否かを判定する（ステップＳ３０）。
【００６８】
制御部１３は、記憶部１４が録画を停止していると判定した場合（ステップＳ３０でＹＥＳ）、録画を再開し（ステップＳ３１）、次に取得した時刻が放送終了時刻を過ぎたか否かを判定するステップＳ２９に処理を移す。制御部１３は、記憶部１４が録画を停止しているか否かを判定するステップＳ３０において、録画を停止していないと判定した場合（ステップＳ３０でＮＯ）、ＣＬＯＣＫ２３から取得した時刻が放送終了時刻を過ぎたか否かを判定するステップＳ２９に処理を移す。
【００６９】
図７は、節約モード処理の手順を示すフローチャートである。制御部１３は、映像表示部２２がオン状態であるか否かを判定する（ステップＳ４１）。制御部１３は、映像表示部２２がオン状態にあると判定した場合（ステップＳ４１でＹＥＳ）、受信部１０に設定されている受信チャンネル、ＲＡＭ１８に記憶されているＥＰＧ情報に含まれる番組表及び取得した時刻から、現在受信している視聴番組及び録画番組をそれぞれ識別する（ステップＳ４２）。制御部１３は、視聴番組及び録画番組が一致するか否かを判定する（ステップＳ４３）。
【００７０】
制御部１３は、視聴番組及び録画番組が一致すると判定した場合（ステップＳ４３でＹＥＳ）、ＲＡＭ１８に記憶されている一致フラグが既にセットされているか否かを判定する（ステップＳ４４）。制御部１３は、一致フラグがセットされていないと判定した場合（ステップＳ４４でＮＯ）、ＲＡＭ１８に記憶されている一致フラグをセットする（ステップＳ４９）。制御部１３は、ＣＬＯＣＫ２３が示す時刻を取得し、一致フラグがセットされた時刻としてＲＡＭ１８に記憶する（ステップＳ５０）。
【００７１】
制御部１３は、映像表示部２２がオン状態にあるか否かを判定するステップＳ４１に処理を戻す。制御部１３は、一致フラグがセットされているか否かを判定するステップＳ４４において、既にセットされていると判定した場合（ステップＳ４４でＹＥＳ）、ＣＬＯＣＫ２３が示す時刻を取得し、取得した時刻からＲＡＭ１８に記憶されている一致フラグがセットされた時刻を減算して、一致フラグがセットされてからの経過時間を算出する（ステップＳ４５）。
【００７２】
制御部１３は、経過時間がＲＡＭ１８又はＲＯＭ１７に事前に記憶されている所定時間を越えているか否かを判定する（ステップＳ４６）。制御部１３は、所定時間を越えていないと判定した場合（ステップＳ４６でＮＯ）、映像表示部２２がオン状態であるか否かを判定するステップＳ４１に処理を戻す。制御部１３は、所定時間を越えていると判定した場合（ステップＳ４６でＹＥＳ）、記憶部１４を制御して録画を停止させる（ステップＳ４７）。制御部１３は、ＣＬＯＣＫ２３から取得した時刻が放送終了時刻を過ぎたか否かを判定するステップＳ４８に処理を移す。
【００７３】
制御部１３は、放送終了時刻を過ぎていないと判定した場合（ステップＳ４８でＮＯ）、映像表示部２２がオン状態にあるか否かを判定するステップＳ４１に処理を戻す。制御部１３は、放送終了時刻を過ぎたと判定した場合（ステップＳ４８でＹＥＳ）、節約モード処理を終了する。制御部１３は、映像表示部２２がオン状態にあるか否かを判定するステップＳ４１において、オン状態にないと判定した場合（ステップＳ４１でＮＯ）、及び視聴番組と録画番組とが一致するか否かを判定するステップＳ４３において、一致しないと判定した場合（ステップＳ４３でＮＯ）、ＲＡＭ１８に記憶されている一致フラグをリセットする（ステップＳ５１）。
【００７４】
制御部１３は、記憶部１４が録画を停止しているか否かを判定する（ステップＳ５２）。制御部１３は、記憶部１４が録画を停止していると判定した場合（ステップＳ５２でＹＥＳ）、記憶部１４を制御して録画を再開させる（ステップＳ５３）。制御部１３は、ＣＬＯＣＫ２３から取得した時刻が放送終了時刻を過ぎたか否かを判定するステップＳ４８に処理を移す。
【００７５】
制御部１３は、記憶部１４が録画を停止していない、すなわち録画中であると判定した場合（ステップＳ５２でＮＯ）、ＣＬＯＣＫ２３から取得した時刻が放送終了時刻を過ぎたか否かを判定するステップＳ４８に処理を移す。節約モード処理においては、録画番組を録画中に使用者が所定時間を越えて録画番組を視聴している場合、録画が停止されることにより、記憶部１４の記憶容量の使用を節約することが可能となる。また、録画番組の放送時間内に使用者が予約録画番組の視聴を中止した場合、自動的に録画を再開することにより、使用者が録画の再開を失念するといった事態を防止することが可能となる。
【００７６】
録画中の放送番組と視聴中の放送番組と一致するか否かを、ＥＰＧ情報に基づいて番組を特定し判定する例を示したが、録画している録画番組の受信チャンネル及び視聴中の視聴番組の受信チャンネルとが一致するか否かを判定しても良い。所定時間は、録画番組の放送時間に応じて設定しても良く、例えば、３０分番組及び１時間番組の場合に、それぞれ５分及び１０分としても良い。また、所定時間は、使用者により設定が可能に録画装置を構成しても良い。
【００７７】
実施の形態２
図８は、実施の形態２に係る録画装置の構成を示すブロック図である。
本実施の形態２に係る録画装置は、録画予約情報に従って録画番組を選局して受信し、録画処理を行う録画処理部１ａ、及び使用者が選択した視聴番組を選局して受信し映像表示及び音声出力する受像部１ｂから構成されている。録画処理部１ａ及び受像部１ｂは、それぞれ独立した筐体内に設けられており、着脱可能な制御線４及び映像音声信号線５で接続されている。
【００７８】
受像部１ｂは、使用者が選択した視聴番組に係る情報を制御線４を介して録画処理部１ａに与えると共に、映像音声信号線５を介して録画処理部１ａから受け取った映像音声信号を表示及び音声出力するように構成されている。また、受像部１ｂは、単独でも視聴番組を受信して映像表示及び音声出力して使用者の視聴が可能である受像機としても機能する。
【００７９】
映像音声信号線５は、１本のケーブルで映像及び音声データを送信することが可能であるＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格のケーブルである。録画処理部１ａは、映像及び音声データをＨＤＭＩデータに変換して映像音声信号線５に出力するためのＨＤＭＩ送信部２３ａを備える。受像部１ｂは、映像音声信号線５を介してＨＤＭＩデータを受信し映像及び音声データに変換するＨＤＭＩ受信部２３ｂを備えている。
【００８０】
また、録画処理部１ａ及び受像部１ｂは、それぞれ遠隔操作装置３ａ及び３ｂを備えており、ＩｒＤＡ規格に従う無線通信が可能に構成され、それぞれ遠隔から操作することが可能である。録画処理部１ａは、受信部１０ａ、ＯＦＤＭ復調部１１ａ、分離部１２ａ、制御部１３ａ、記憶部１４ａ、ＥＰＧ復調部１５ａ、映像音声復調部１６ａ、ＲＯＭ１７ａ、ＲＡＭ１８ａ、操作部１９ａ及び操作受信部２０ａを備えている。制御部１３ａは、ＣＰＵ又はＭＰＵ等により構成されており、バス１３１ａを介して受信部１０ａ、記憶部１４ａ、ＥＰＧ復調部１５ａ、ＲＯＭ１７ａ、ＲＡＭ１８ａ、操作部１９ａ及び操作受信部２０ａに接続されている。
【００８１】
制御部１３ａは、本発明における判定手段として機能する。また、制御部１３ａは、記憶部１４ａを制御することにより記憶部１４ａと共に本発明における録画手段としても機能する。ＲＯＭ１７ａは、録画処理部１ａを動作させるために必要な種々の制御プログラム、並びに実施の形態１における予約画面及び予約モード設定画面と同様な画面データを予め記憶している。制御部１３ａは、バス１３１ａを介して接続されたハードウェア各部を制御すると共に、ＲＯＭ１７ａに格納されている制御プログラムを適宜ＲＡＭ１８ａに読み出して実行する。
【００８２】
ＲＡＭ１８ａは、ＳＲＡＭ又はフラッシュメモリ等で構成されており、録画予約情報等の記憶、ＥＰＧ情報の記憶及び制御部１３ａによる制御プログラムの実行時に発生するフラグ等データの一時的な記憶を行う。受信部１０ａは、デジタル放送番組の受信用チューナであり、図示しない放送中継基地の方向に向けて配置されたアンテナ２ａと接続され録画番組を受信する。受信部１０ａは、アンテナ２ａにより受信した放送波から、制御部１３ａの指示により録画番組に対応付けられた帯域に存在するＯＦＤＭ信号を抽出してレベル調整後、ＯＦＤＭ復調部１１ａへ与える。
【００８３】
ＯＦＤＭ復調部１１ａは、デジタル変調されたＯＦＤＭ信号の復調及び誤り訂正処理等を行ってＴＳ信号を得て、分離部１２ａ及び記憶部１４ａへ与える。記憶部１４ａは、受信部１０ａが受信した録画番組から得たＴＳ信号を記憶することで、録画番組を録画する。制御部１３ａは、記憶部１４ａのＴＳ信号の記憶、並びに記憶されたＴＳ信号の読出し及び削除を制御する。分離部１２ａは、与えられたＴＳ信号からＥＰＧ情報を分離し、ＥＰＧ復調部１５ａへ与える。
【００８４】
ＥＰＧ復調部１５ａは、与えられたＥＰＧ情報に係るストリームを復調し、復調されたＥＰＧ情報をバス１３１ａに出力する。制御部１３ａは、バス１３１ａを介してＥＰＧ情報を得る。分離部１２ａ及びＥＰＧ復調部１５ａは、本発明におけるＥＰＧ受信手段として機能する。録画処理部１ａは、受信部１０ａで放送波を常時受信してＥＰＧ情報を取得する。制御部１３ａは、ＲＡＭ１８ａに記憶されているＥＰＧ情報を、放送局等から定期的に送信されるＥＰＧ情報に書き換えることにより、ＲＡＭ１８ａに最新のＥＰＧ情報を記憶する。
【００８５】
制御部１３ａは、受信部１０ａに設定されている受信チャンネルとＲＡＭ１８ａに記憶されているＥＰＧ情報に含まれる番組表とから録画中の録画番組を識別する。録画処理部１ａが、記憶部１４ａに記憶されている録画番組を再生する場合、制御部１３ａは、記憶部１４ａを制御し、記憶されている録画番組のＴＳ信号を読出して分離部１２ａに与える。分離部１２ａは、与えられたＴＳ信号から映像及び音声データに係るストリームを分離し、映像音声復調部１６ａに与える。
【００８６】
映像音声復調部１６ａは、与えられた映像及び音声データに係るストリームを復調して得た映像及び音声データをＨＤＭＩ送信部２３ａに与える。また、制御部１３ａは、実行する予約録画処理に従いＲＯＭ１７ａから読み出した画面データをＨＤＭＩ送信部２３ａに与える。ＨＤＭＩ送信部２３ａは、与えられた映像及び音声データ、並びに画面データをＨＤＭＩデータに変換し映像音声信号線５に出力する。
【００８７】
操作部１９ａは、録画処理部１ａを起動させるための電源キー及び録画予約情報を入力するための入力キーを備えており、ユーザにより各キーが操作された場合、操作されたキーに対応した識別信号をバス１３１ａを介して制御部１３ａへ送出する。操作受信部２０ａは、遠隔操作装置３ａから受信した遠隔操作装置３ａの操作された各キーに対応する識別信号をバス１３１ａを介して制御部１３ａへ送出する。制御部１３ａは、操作部１９ａ又は操作受信部２０ａからバス１３１ａを介して取得する識別信号に応じた処理を実行する。制御部１３ａは、操作部１９ａからバス１３１ａを介して取得する識別信号に応じた処理を実行する。
【００８８】
受像部１ｂは、映像及び音声データを映像音声信号線５を介して録画処理部１ａから受け取るためのＨＤＭＩ受信部２３ｂを備える。また、受像部１ｂは、受信部１０ｂ、ＯＦＤＭ復調部１１ｂ、分離部１２ｂ、制御部１３ｂ、映像音声復調部１６ｂ、ＲＯＭ１７ｂ、ＲＡＭ１８ｂ、操作部１９ｂ、操作受信部２０ｂ、ＯＳＤ部２１ｂ及び映像表示部２２ｂを備えている。制御部１３ｂは、制御部１３ａと同様にＣＰＵ等により構成されており、バス１３１ｂを介して受信部１０ｂ、ＲＯＭ１７ｂ、ＲＡＭ１８ｂ、操作部１９ｂ、操作受信部２０ｂ、ＯＳＤ部２１ｂ及び映像表示部２２ｂに接続されている。
【００８９】
ＲＯＭ１７ｂは、受像部１ｂを動作させるために必要な種々の制御プログラム等を予め記憶している。制御部１３ｂは、バス１３１ｂを介して接続されたハードウェア各部を制御すると共に、ＲＯＭ１７ｂに格納されている制御プログラムを適宜ＲＡＭ１８ｂに読み出して実行する。ＲＡＭ１８ｂは、制御部１３ｂによる制御プログラムの実行時に発生するデータの一時的な記憶を行う。受信部１０ｂは、受信部１０ａと同様にデジタル放送番組の受信用チューナであり、アンテナ２ｂと接続され視聴番組を受信することが可能に構成されている。
【００９０】
受信部１０ｂは、アンテナ２ｂにより受信した放送波から、制御部１３ｂの指示により視聴番組に対応付けられた帯域に存在するＯＦＤＭ信号を抽出してレベル調整後、ＯＦＤＭ復調部１１ｂへ与える。ＯＦＤＭ復調部１１ｂは、デジタル変調されたＯＦＤＭ信号の復調及び誤り訂正処理等を行って、ＴＳ信号を得て、分離部１２ｂへ与える。分離部１２ｂは、与えられたＴＳ信号から映像及び音声データに係るストリームを分離し、映像音声復調部１６ｂに与える。制御部１３ｂは、操作部１９ｂ又は操作受信部２０ｂからの識別信号に応じて映像表示部２２ｂのオン／オフ状態を制御する。
【００９１】
映像音声復調部１６ｂは、映像表示部２２ｂがオン状態にある場合、与えられた映像及び音声データに係るストリームを復調して得た映像及び音声データをＯＳＤ部２１ｂを介して、映像表示部２２ｂに映像を表示させると共に、映像表示部２２ｂに内蔵されている図示しないアンプ及びスピーカを介して音声を出力させる。また、映像表示部２２ｂのオン／オフ状態は、バス１３１ｂ、制御線４及びバス１３１ｂを介して録画処理部１ａの制御部１３ａに与える。
【００９２】
ＨＤＭＩ受信部２３ｂが映像音声信号線５を介して受け取ったＨＤＭＩデータから変換して得た映像データ及び画面データは、ＯＳＤ部２１ｂにより映像データ及び画面データの重畳が行われ、映像表示部２２ｂで表示される。また、ＨＤＭＩ受信部２３ｂが映像音声信号線５を介して受け取ったＨＤＭＩデータから変換して得た音声データは、ＯＳＤ部２１ｂを介して映像表示部２２ｂに与えられ、音声出力される。また、制御部１３ｂは、受信部１０ｂに設定されている受信チャンネルを、バス１３１ｂ、制御線４及びバス１３１ｂを介して録画処理部１ａの制御部１３ａに与える。
【００９３】
録画処理部１ａの制御部１３ａは、受像部１ｂの受信部１０ｂの受信チャンネル及び映像表示部２２ｂのオン／オフ状態、並びにＲＡＭ１８ａに記憶されているＥＰＧ情報に含まれる番組表から使用者が受像部１ｂを用いて視聴中の視聴番組を識別する。録画処理部１ａの制御部１３ａは、録画処理部１ａが録画中の録画番組及び受像部１ｂが受像中の視聴番組とが一致するか否かを判定することにより、本発明の判定手段として機能する。実施の形態２に係る構成は、前述の通りであり、制御部１３ａが実行する録画予約処理は、実施の形態１と同様であるので説明を省略する。
【図面の簡単な説明】
【００９４】
【図１】実施の形態１に係る録画装置の構成を示すブロック図である。
【図２】予約録画処理の手順を示すフローチャートである。
【図３】予約画面の例を示す模式図である。
【図４】予約モード設定画面の例を示す模式図である。
【図５】手動モード処理の手順を示すフローチャートである。
【図６】動作選択画面の例を示す模式図である。
【図７】節約モード処理の手順を示すフローチャートである。
【図８】実施の形態２に係る録画装置の構成を示すブロック図である。
【符号の説明】
【００９５】
１  録画装置
２  アンテナ
３  遠隔操作装置
１０  受信部
１１  ＯＦＤＭ復調部
１２  分離部
１３  制御部
１３１  バス
１４  記憶部
１５  ＥＰＧ復調部
１６  映像音声復調部
１７  ＲＯＭ
１８  ＲＡＭ
１９  操作部
２０  操作受信部
２１  ＯＳＤ部
２２  映像表示部
２３  ＣＬＯＣＫ
【図１】
2008228085.tif 000003
【図２】
2008228085.tif 000004
【図３】
2008228085.tif 000005
【図４】
2008228085.tif 000006
【図５】
2008228085.tif 000007
【図６】
2008228085.tif 000008
【図７】
2008228085.tif 000009
【図８】
2008228085.tif 000010